(57)【要約】【課題】例えば幕の内弁当のような加熱したい箇所と加熱すべきでない箇所がある食品を、煩わしい操作を必要とせず、加熱したい箇所だけを加熱できるようにして、使い勝手を向上することを目的とする。【解決手段】被加熱物５を加熱室４に収納すると、被加熱物情報読取手段１７が非接触ＩＣタグ１６から発信された被加熱物情報を受信し、そこから加熱箇所特定手段２３が加熱箇所を特定し、高周波発生手段１で被加熱物を加熱する際に分布可変手段７を制御して加熱箇所に高周波が集中するように制御する。例えば被加熱物５が幕の内弁当であれば、ごはんや煮物がどこの場所にあるのかという情報を加熱箇所特定手段２３が特定し、ごはんや煮物のある場所に高周波が集中するように分布可変手段７を制御する。こうすることで、煩わしい設定作業なしに加熱すべき箇所だけを加熱することができ、使い勝手が向上する。【選択図】図１
2006153434.tif 000002
【特許請求の範囲】
【請求項１】
被加熱物から発信される被加熱物情報を読み取る被加熱物情報読取手段と、前記被加熱物情報読取手段の読み取った被加熱物情報から前記被加熱物の加熱箇所を特定する加熱箇所特定手段と、前記被加熱物を加熱する高周波発生手段と、前記高周波発生手段で発生した高周波の分布を変更する分布可変手段と、前記加熱箇所特定手段で特定した加熱箇所に高周波を集中させるように前記分布可変手段を制御する制御手段とを有する高周波加熱装置。
【請求項２】
前記被加熱物は前記被加熱物情報を記録した非接触ＩＣタグを備え、前記被加熱物情報読取手段は前記非接触ＩＣタグから情報を読み込む非接触ＩＣタグリーダである請求項１記載の高周波加熱装置。
【請求項３】
前記分布可変手段は加熱室底面に設けた高周波放射部を移動させる手段であり、前記制御手段は前記加熱箇所特定手段で特定した加熱箇所情報を高周波放射部の移動量に変換する変換部を有する請求項１記載の高周波加熱装置。
【請求項４】
被加熱物から発信される前記被加熱物情報には加熱箇所の情報を含んでいて、前記加熱箇所特定手段は前記被加熱物情報読取手段にて読み取った被加熱物情報から前記加熱箇所の情報を抽出する請求項１記載の高周波加熱装置。
【請求項５】
前記加熱箇所特定手段は通信手段を有し、前記通信手段は、被加熱物から発信される被加熱物情報とその加熱箇所情報とを関連付けて記憶し前記被加熱物情報を受信するとその加熱箇所情報を発信する被加熱物情報サーバと通信することで被加熱物の加熱箇所を特定する請求項１記載の高周波加熱装置。
【請求項６】
前記加熱箇所特定手段は、通信手段と、被加熱物から発信される被加熱物情報とその加熱箇所情報を関連付けて記憶する記憶手段とを有し、前記通信手段により被加熱物情報とその加熱箇所情報を関連付けて記憶している被加熱物情報サーバから前記被加熱物情報と前記加熱箇所情報を関連付けて受信して前記記憶手段の記憶内容を更新する請求項１記載の高周波加熱装置。
【請求項７】
請求項５〜６のいずれか１項記載の高周波加熱装置と、前記高周波加熱装置とネットワークを介して接続した被加熱物情報サーバをと有し、
前記高周波加熱装置は通信手段を有し、被加熱物を加熱するときに被加熱物情報読取手段の読み取った前記被加熱物情報を前記通信手段から前記ネットワークを介して前記被加熱物情報サーバに送信し、
前記被加熱物情報サーバは受信した被加熱物情報とその受信時刻より前記被加熱物の種類ごとの複数の受信時刻帯ごとに計数するカウンタ手段を有する加熱情報管理システム。
【請求項８】
請求項１〜７のいずれか１項記載の高周波加熱装置または被加熱物情報サーバの少なくとも一部をコンピュータに実行させるためのプログラム。
【発明の詳細な説明】
【技術分野】
【０００１】
本発明は食品などを高周波により加熱する高周波加熱装置および加熱情報管理システムおよびそのプログラムに関するものであり、加熱しない箇所と加熱すべき箇所を識別して、加熱すべき箇所のみを加熱することを簡単な操作で実現する技術に関するものである。
【背景技術】
【０００２】
従来より高周波を集中させて局所的な加熱を行なう高周波加熱装置の例がある。例えば特許文献１の例を図７を使って説明する。
【０００３】
マグネトロン１から出た高周波は、導波管２、給電室３を介して加熱室４内に放射され、加熱室４内の食品５を加熱する。給電室３内にはアンテナ６があり、アンテナ６は導波管モータ７で回転する構成としている。８は給電室３を覆うカバーである。導波管モータ７はステッピングモータであり、第１の回転軸９を回転させる。
【０００４】
第１の回転軸９には大歯車１０が取り付けられている。１１は周囲歯車で内側に歯車を形成し、また小歯車１２の
軸受けとなる溝があり、導波管２に取り付け固定している。小歯車１２は大歯車１０と周囲歯車１１に接し、小歯車１２には第２の回転軸１３が取り付けられ、第２の回転軸１３は周囲歯車１１に設けた溝を軸受けとして回転自在に取り付けられている。この第２の回転軸１３にアンテナ６が取り付けられている。
【０００５】
この構成で導波管モータ７が回転すると、第２の回転軸１３は回転を繰り返しながら周囲歯車１１に沿って大歯車１０の周囲を移動する。
【０００６】
こうした構成をとることにより、アンテナ６の高周波放射部分が高周波の集中箇所となり最も加熱される。そして加熱室４内のほぼ全領域の任意の位置を集中的に局所加熱することが可能になる。そして導波管モータ７は、原点検出スイッチを使ったり、ストッパーを使ったりして初期の位置合わせを行い、以後初期位置からの移動角度を逐次累積して常に回転角度をわかるようにすることでアンテナ６の位置と向きの両方がわかるので、狙ったところを加熱するように制御することが可能となる。
【０００７】
こうした構成の高周波加熱装置であれば、例えば幕の内弁当などのように、ごはんや煮物など加熱すべきものと刺身や果物など加熱すべきでないものとが、一つの食器に納められている食品で、刺身や果物は加熱せず、ごはんや煮物だけを加熱することは可能となる。
【特許文献１】特開平９−２７３８９号公報
【発明の開示】
【発明が解決しようとする課題】
【０００８】
しかしながら、特許文献１に示されている方法によれば、加熱すべき箇所のみを加熱し、加熱すべきでない箇所を加熱しないような加熱方法は可能となるが、例えば幕の内弁当を加熱して、刺身やフルーツは加熱せず、ごはんや煮物だけを加熱しようとすると、幕の内弁当のどこにごはんや煮物があるのか、加熱箇所はどこなのかを設定する設定作業が必要になるという課題がある。この設定作業は非常に煩わしい操作である。
【０００９】
本発明は前記従来の課題を解決するもので、煩わしい操作を必要とせず、加熱したい箇所だけを加熱できるようにして、使い勝手を向上することを目的とする。
【課題を解決するための手段】
【００１０】
前記従来の課題を解決するために、本発明の高周波加熱装置は、被加熱物から発信される被加熱物情報を読み取る被加熱物情報読取手段と、前記被加熱物情報読取手段の読み取った被加熱物情報から前記被加熱物の加熱箇所を特定する加熱箇所特定手段と、前記被加熱物を加熱する高周波発生手段と、前記高周波発生手段で発生した高周波の分布を変更する分布可変手段と、前記加熱箇所特定手段で特定した加熱箇所に高周波を集中させるように前記分布可変手段を制御する制御手段とを有する構成としたものである。
【００１１】
これによって、被加熱物情報読取手段が被加熱物情報を読み取り、加熱箇所特定手段が被加熱物情報から加熱箇所を特定し、高周波発生手段で被加熱物を加熱する際に分布可変手段を制御して加熱箇所に高周波が集中するように制御する。
【００１２】
例えば被加熱物が幕の内弁当であれば、ごはんや煮物がどこの場所にあるのかという加熱箇所を加熱箇所特定手段が特定し、ごはんや煮物のある場所に高周波が集中するように分布可変手段を制御する。こうすることで、煩わしい設定作業なしに加熱すべき箇所だけを加熱することができ、使い勝手が向上する。
【発明の効果】
【００１３】
本発明の高周波加熱装置は、被加熱物情報読取手段が被加熱物情報を読み取り、加熱箇所特定手段が被加熱物情報から加熱箇所を特定し、高周波発生手段で被加熱物を加熱する際に分布可変手段を制御して加熱箇所に高周波が集中するように制御するので、煩わしい設定作業なしに加熱すべき箇所だけを加熱することができ、使い勝手が向上する。
【発明を実施するための最良の形態】
【００１４】
第１の発明は、被加熱物から発信される被加熱物情報を読み取る被加熱物情報読取手段と、前記被加熱物情報読取手段の読み取った被加熱物情報から前記被加熱物の加熱箇所を特定する加熱箇所特定手段と、前記被加熱物を加熱する高周波発生手段と、前記高周波発生手段で発生した高周波の分布を変更する分布可変手段と、前記加熱箇所特定手段で特定した加熱箇所に高周波を集中させるように前記分布可変手段を制御する制御手段とを有する構成としたものである。
【００１５】
これによって、被加熱物情報読取手段が被加熱物情報を読み取り、加熱箇所特定手段が被加熱物情報から加熱箇所を特定し、高周波発生手段で被加熱物を加熱する際に分布可変手段を制御して加熱箇所に高周波が集中するように制御するので、煩わしい設定作業なしに加熱すべき箇所だけを加熱することができ、使い勝手が向上する。
【００１６】
第２の発明は、特に第１の発明の被加熱物は前記被加熱物情報を記録した非接触ＩＣタグを備え、前記被加熱物情報読取手段は前記非接触ＩＣタグから情報を読み込む非接触ＩＣタグリーダである構成することにより、被加熱物情報読取手段は確実に被加熱物の情報を識別することが可能となり、適切に加熱箇所を特定することができ、きめ細かく加熱できて使い勝手を向上できる。
【００１７】
第３の発明は、特に第１の発明の分布可変手段は加熱室底面に設けた高周波放射部を移動させる手段であり、前記制御手段は前記加熱箇所特定手段で特定した加熱箇所情報を高周波放射部の移動量に変換する変換部を有する構成とすることにより、高周波を局所に集中させることができ、また変換部が加熱箇所を移動量に変換するので簡易な構成できめ細かく加熱できて使い勝手を向上できる。
【００１８】
第４の発明は、特に第１の発明の被加熱物から発信される前記被加熱物情報には加熱箇
所の情報を含んでいて、前記加熱箇所特定手段は前記被加熱物情報読取手段にて読み取った被加熱物情報から前記加熱箇所の情報を抽出する構成としているので、容易に加熱箇所を特定することができ、きめ細かく加熱できて使い勝手を向上できる。
【００１９】
第５の発明は、特に第１の発明の加熱箇所特定手段は通信手段を有し、前記通信手段は、被加熱物から発信される被加熱物情報とその加熱箇所情報とを関連付けて記憶し前記被加熱物情報を受信するとその加熱箇所情報を発信する被加熱物情報サーバと通信することで被加熱物の加熱箇所を特定する構成としているので、被加熱物から受信できる情報は少量であっても被加熱物情報サーバからそれに対応する多量の情報を受信でき、加熱箇所の複雑なレイアウトでも特定することが可能となり、きめ細かく加熱できて使い勝手を向上できる。
【００２０】
第６の発明は、特に第１の発明の加熱箇所特定手段は、通信手段と、被加熱物から発信される被加熱物情報とその加熱箇所情報を関連付けて記憶する記憶手段とを有し、前記通信手段により被加熱物情報とその加熱箇所情報を関連付けて記憶している被加熱物情報サーバから前記被加熱物情報と前記加熱箇所情報を関連付けて受信して前記記憶手段の記憶内容を更新する構成としているので、高周波加熱装置の記憶手段は必要な情報に更新しておくことができ、少ない容量でも加熱箇所の複雑なレイアウトでも特定することが可能となり、きめ細かく加熱できて使い勝手を向上できる。
【００２１】
第７の発明は、第５〜第６のいずれかの発明の高周波加熱装置と、前記高周波加熱装置とネットワークを介して接続した被加熱物情報サーバをと有し、前記高周波加熱装置は通信手段を有し、被加熱物を加熱するときに被加熱物情報読取手段の読み取った前記被加熱物情報を前記通信手段から前記ネットワークを介して前記被加熱物情報サーバに送信し、前記被加熱物情報サーバは受信した被加熱物情報とその受信時刻より前記被加熱物の種類ごとの複数の受信時刻帯ごとに計数するカウンタ手段を有する加熱情報管理システムである。
【００２２】
これによって、高周波加熱装置で加熱されると、被加熱物情報サーバは被加熱物情報を受信し、その通信時刻が該当する通信時間帯のカウンタを計数するので、各種被加熱物はどの時間帯でよく加熱されるかが容易に解析できるようになり、被加熱物の製造時刻の調整などに解析結果を用いることができる。
【００２３】
第８の発明は、第１〜７の発明のいずれか記載の高周波加熱装置または被加熱物情報サーバの少なくとも一部をコンピュータに実行させるためのプログラムである。そして、プログラムであるので、電気・情報機器、コンピュータ等のハードリソースを協働させて本発明の高周波加熱装置の少なくとも一部を容易に実現することができる。また記録媒体に記録したり通信回線を用いてプログラムを配信したりすることでプログラムの配布・更新やそのインストール作業が簡単にできる。
【００２４】
以下、本発明の実施の形態について、図面を参照しながら説明する。なお、この実施の形態によって本発明が限定されるものではない。
【００２５】
（実施の形態１）
図１は本発明の第１の実施の形態を説明する構成図である。従来例と同様の構成には同じ番号を付している。即ち高周波発生手段であるマグネトロン１から出た高周波は、導波管２、給電室３を介して加熱室４内に放射され、加熱室４内の被加熱物で例えば幕の内弁当５を加熱する。給電室３内にはアンテナ６があり、アンテナ６は分布可変手段である導波管モータ７で回転する構成としている。またアンテナ６の高周波放射部が１４であり、この高周波放射部１４の付近に高周波が集中する。
【００２６】
８は給電室３を覆うカバーである。導波管モータ７はステッピングモータであり、第１の回転軸９を回転させる。第１の回転軸９には大歯車１０が取り付けられている。１１は周囲歯車で内側に歯車を形成し、また小歯車１２の軸受けとなる溝があり、導波管２に取り付け固定している。小歯車１２は大歯車１０と周囲歯車１１に接し、小歯車１２には第２の回転軸１３が取り付けられ、第２の回転軸１３は周囲歯車１１に設けた溝を軸受けとして回転自在に取り付けられている。この第２の回転軸１３にアンテナ６が取り付けられている。この構成で導波管モータ７が回転すると、第２の回転軸１３は回転を繰り返しながら周囲歯車１１に沿って大歯車１０の周囲を移動する。
【００２７】
１５はレール孔であり底面をほぼ全周するよう円形にくぼみをつけている。この構成でアンテナ６が回転しながらレール孔１５を移動するときの、アンテナ６の高周波放射部である１４の移動軌跡を図２に示す。図２は高周波加熱装置の加熱室４を上から見た図であり、導波管モータ７を回転させると、高周波放射部１４は小さな円を描きながら大きな円を移動することになる。アンテナ６の高周波放射部１４の付近に高周波が集中し最も加熱されるので、加熱室４内のほぼ全領域の任意の位置を集中的に局所加熱することが可能である。
【００２８】
図１において、１６は非接触ＩＣタグで幕の内弁当５の被加熱物情報を記録していて、例えば幕の内弁当５の箱に貼り付けられている。また１７は被加熱物情報読取手段であり、非接触ＩＣタグ１６から送信されてくる情報を読取る非接触ＩＣタグリーダである。非接触ＩＣタグ１６は電池を内蔵しないが、非接触ＩＣタグリーダ１７が発生させる電磁波領域内に入ると電磁波により励起され、非接触ＩＣタグ１６に電源が供給される。非接触ＩＣタグリーダ１７が発生する電磁波にはコマンドが含まれているので、そのコマンドを非接触ＩＣタグ１６が受け取ると、データを非接触ＩＣタグリーダ１７に返答するというものである。そしてこのデータが、幕の内弁当５の被加熱物情報であり、少なくともどの位置を加熱すべきかという加熱箇所情報を含んでいる。
【００２９】
図３に非接触ＩＣタグ１６の例を示す。非接触ＩＣタグ１６は例えば図３に示すようにプラスチック等の基材１８にコイルパターン１９を形成し、コイルと容量素子とにより共振回路を形成して一定周波数の電波を受信して送信することができる。図３の場合、コイルパターン１９は導通部材２０により基材１８の裏面でジャンピング回路を形成してコイル接続端子２１によりＩＣチップ２２の裏面のバンプに接続している。ＩＣチップ２２は容量素子を内蔵している。このような非接触ＩＣタグ１６はプラスチック基材に銅箔等の金属箔を設けて、金属箔をパターンエッチングして形成することが多い。非接触ＩＣタグリーダ１７との交信には一般には１３５ｋＨｚ、１３．５６ＭＨｚ、２．４５ＧＨｚの周波数帯を使用する。
【００３０】
被加熱物情報のうち、加熱箇所情報は例えば１６ビットであり、加熱室４の底面を４×４の１６マスに分けて各マスが加熱すべきであれば「１」、加熱すべきでなければ「０」とした情報である。例えば幕の内弁当５にはごはんや煮物が置かれている箇所は「１」、刺身やフルーツが置かれている箇所は「０」として１６ビットの情報を持っていて、非接触ＩＣタグ１６はこの１６ビットの加熱箇所情報とその他の被加熱物情報として例えば重さや製造日時、賞味期限、カロリーなどの情報を合わせて非接触ＩＣタグリーダ１７に送信するものである。もちろん１６ビットよりもっと細かく分けても良いし、その情報を圧縮してビット数を減らしても良い。
【００３１】
図１において非接触ＩＣタグリーダ１７は非接触ＩＣタグ１６より、加熱箇所情報を含む被加熱物情報を受信すると、加熱箇所特定手段２３が被加熱物情報から加熱箇所情報を抽出する。被加熱物情報は予め定めた書式のデータ列であり、第何番目のビットから１６
ビットが加熱箇所情報と決めているので、加熱箇所特定手段２３は書式に従って所定の１６ビットを抽出することで加熱箇所情報を抽出する。加熱箇所特定手段２３は１６分割の各マスが加熱すべき箇所か加熱すべきでない箇所かの情報を制御手段２４に送る。
【００３２】
制御手段２４は変換部２５を備えている。変換部２５には１６分割のマスの位置と、図２に示す高周波放射部１４の移動軌跡の点を対応付ける対応表を持っている。即ち図２の移動軌跡はステッピングモータで構成された導波管モータ７を回転させることでできる軌跡であり、ステッピングモータに出力するパルス数で、軌跡上の任意の箇所に高周波放射部１４を位置させることができる。したがって変換部２５は１６分割のマスの位置にそれぞれ対応するステッピングモータパルス数を記憶した対応表を持っているので、その対応表より、加熱すべき箇所として「１」の情報を受けたマスに対応するステッピングモータのパルス数を出力する。
【００３３】
制御手段２４は変換部２５の変換結果を受け、加熱すべき箇所をステッピングモータ出力パルスとして管理する。そして、導波管モータ７に対してそのパルス数を出力して高周波放射部１４を加熱すべき箇所に位置させる。加熱すべき箇所が複数ある場合には、各加熱箇所で例えば３秒ずつ停止し、次の加熱箇所に移動するようその差分のパルス数を出力する。一通り加熱すれば最初の箇所の加熱に戻ることを繰り返す。この動作の繰り返しで加熱すべき箇所だけが加熱されることとなる。
【００３４】
本実施の形態において、変換部２４は対応表を持っていることで説明したが、これに限定するものではなく、例えば関数を持たせるなどして数式の計算で１６分割のマスと高周波放射部１４の移動量を変換させても良い。
【００３５】
また本実施の形態では加熱箇所情報として、加熱するのかしないのかの「１」または「０」の情報として扱ったが、例えば「強加熱」「弱加熱」「非加熱」などの中間的な加熱情報であっても良い。この場合には「強化熱」の箇所には３秒停止するのに対して「弱加熱」の箇所には１秒停止などとすることで加熱強度にも対応できる。
【００３６】
また高周波放射部１４は小半径の円を回転しながら大半径の円を回転することで、加熱室４の底面のあらゆる箇所を加熱できる構成としたが、これに限定するものでなく、例えば直交する２つの軸を直線的に移動できるようにしてあらゆる箇所を加熱できるようにしても良い。
【００３７】
（実施の形態２）
図４は本発明の第２の実施の形態を説明する構成図である。第１の実施の形態と同様の構成には同じ番号を付している。図４において、加熱箇所特定手段２３はネットワーク通信手段２６を含んでいて、ネットワーク通信手段２６を介し、インターネットなどのネットワーク２７を介して被加熱物情報情報サーバ２８と接続している。
【００３８】
図４において、幕の内弁当５には非接触ＩＣタグ１６が貼り付けられていて、非接触ＩＣタグ１６には幕の内弁当５の例えば商品コード（識別できる情報であればよい）が記録されている。非接触ＩＣタグリーダ１７は非接触ＩＣタグ１６からこの幕の内弁当５の商品コードを受信し、被加熱物コード２９として記録する。加熱箇所特定手段２３はこの被加熱物コード２９として記録された商品コードをネットワーク通信手段２６によりネットワーク２７を介して被加熱物情報サーバ２８へと送信する。
【００３９】
被加熱物情報サーバ２８は、予め商品コードとそれに対応した被加熱物情報を関連づけて多数登録している。ここで関連づけて登録されている被加熱物情報には少なくとも加熱箇所情報があり、それは実施の形態１と同様に例えば１６ビットで、各ビットが４×４に
区切ったマス目の位置に対応し、その位置を加熱するのかしないのかの情報である。そして被加熱物情報サーバ２８は商品コードを受信すると、それに対応する加熱箇所情報を送信するよう予めプログラムされている。そして加熱箇所情報は再びネットワーク２７を介してネットワーク通信手段２６で受信し、加熱箇所特定手段２３は加熱箇所情報３０に記録する。そしてこの加熱箇所情報、すなわち１６分割の各マスが加熱すべき箇所か加熱すべきでない箇所かの情報を制御手段２４に送る。
【００４０】
以下は実施の形態１と同様に作用し、変換部２５を含む制御手段２４が加熱すべき箇所をステッピングモータ出力パルスとして管理し、導波管モータより成る分布可変手段７に対してそのパルス数を出力して加熱すべき箇所に集中して高周波を放射することで、加熱すべき箇所だけが加熱されることとなる。
【００４１】
（実施の形態３）
図５は本発明の第３の実施の形態を説明する構成図である。第１および第２の実施の形態と同様の構成には同じ番号を付している。図５において、加熱箇所特定手段２３はネットワーク通信手段２６を含んでいて、ネットワーク通信手段２６を介し、インターネットなどのネットワーク２７を介して被加熱物情報情報サーバ２８と接続している。
【００４２】
被加熱物情報サーバ２８は、予め商品コードとそれに対応した被加熱物情報を関連づけて多数登録している。ここで関連づけて登録されている被加熱物情報には少なくとも加熱箇所情報があり、それは実施の形態１および２と同様に例えば１６ビットで、各ビットが４×４に区切ったマス目の位置に対応し、その位置を加熱するのかしないのかの情報である。
【００４３】
そして、被加熱物情報サーバ２８からは定期的に、例えば毎日所定の時刻に、登録されている被加熱物情報のうち複数種類の弁当の被加熱物情報をネットワーク２７を介して加熱箇所特定手段２３に送信し、加熱箇所特定手段２３ではネットワーク通信手段２６でそれを受信して記憶手段３１で記憶する。このとき記憶手段３１の記憶容量が一杯であれば古い情報から削除していけばよい。
【００４４】
これは例えばコンビニエンスストアで販売している弁当を加熱するような例に適した実施の形態である。コンビニエンスストアでは毎日複数種類の弁当が販売されている。この弁当は日々あるいは１週間ぐらいの単位でメニューが変わっていく。したがって扱う弁当の種類は非常に多数であるが、同じ日に同時に販売されている弁当の種類は複数ではあるが限られている。被加熱物情報サーバ２８は扱う弁当の種類に対応する非常に多くの被加熱物情報を持っているが、毎日定刻にその日に販売する弁当の情報を送信する。その日に扱う種類だけであれば数は限られているので、記憶手段３１で被加熱物情報を記憶することができるし、また古い情報を削除しても問題はない。
【００４５】
図５において、弁当５には非接触ＩＣタグ１６が貼り付けられていて、非接触ＩＣタグ１６には弁当５の商品コードが記録されている。非接触ＩＣタグリーダ１７は非接触ＩＣタグ１６からこの弁当５の商品コードを受信し、被加熱物コード２９として記録する。加熱箇所特定手段２３はこの被加熱物コード２９として記録された商品コードを記憶手段３１から検索してそれに対応した被加熱物情報を取り出し、加熱箇所情報３０に記録する。そしてこの加熱箇所情報、すなわち１６分割の各マスが加熱すべき箇所か加熱すべきでない箇所かの情報を制御手段２４に送る。
【００４６】
以下は実施の形態１および２と同様に作用し、変換部２５を含む制御手段２４が加熱すべき箇所をステッピングモータ出力パルスとして管理し、導波管モータより成る分布可変手段７に対してそのパルス数を出力して加熱すべき箇所に集中して高周波を放射すること
で、加熱すべき箇所だけが加熱されることとなる。
【００４７】
（実施の形態４）
図６は本発明の第４の実施の形態を説明する構成図である。第１〜３の実施の形態と同様の構成には同じ番号を付している。図６において、弁当５には非接触ＩＣタグ１６が貼り付けられていて、非接触ＩＣタグ１６には弁当５の商品コードが例えば「Ａ」、「Ｂ」、「Ｃ」などと記録されている。非接触ＩＣタグリーダ１７は非接触ＩＣタグ１６からこの弁当５の商品コードを受信し、被加熱物コード２９として記録する。そして被加熱物コード２９として記録された商品コードをネットワーク通信手段２６によりネットワーク２７を介して被加熱物情報サーバ２８へと送信する。
【００４８】
被加熱物情報サーバには、複数の各商品コードに対応し、また受信した時刻に対応した複数のカウンタより成るカウンタ手段３２を含んでいる。カウンタ手段３２の各カウンタは例えば夜中の０時にリセットする。そして例えば商品コード「Ａ」が８時から９時の間に送信されてくれば「Ａ８」のカウンタを一つカウントする。９時から１０時の間であれば「Ａ９」、１０時から１１時の間であれば「Ａ１０」といったように、１日の２４時間を１時間刻みでカウントする２４個のカウンタを持っている。更に同様に商品コード「Ｂ」に対応した「Ｂ８」、「Ｂ９」、「Ｂ１０」・・・、また商品コード「Ｃ」に対応した「Ｃ８」、「Ｃ９」、「Ｃ１０」・・・などがあり、それぞれ受信した商品コードに対応し、且つ受信した時刻に対応したカウンタをカウントする。
【００４９】
このようにして１日経過すれば、商品コード「Ａ」の商品は何時ごろによく加熱されたかがわかる。同様に商品コード「Ｂ」や「Ｃ」についてもわかる。この結果を例えば時間帯ごとの加熱頻度をヒストグラムなどのチャートにしてディスプレイ表示するとか紙に印刷するなどの出力をすることでわかりやすくなる。管理者は、これらの結果からそれぞれの商品すなわち弁当は、主に朝食として利用されたのか、昼食として利用されたのか、夕食として利用されたのか、傾向がわかる。
【００５０】
午前中は主に昼食として利用される弁当を製造、午後からは主に夕食として利用される弁当を製造、夜には主に朝食として利用される弁当を製造、おにぎりのようにいつでも食べられるようなメニューは朝から夜まで製造するものの午前、午後、夜に製造するそれぞれの個数配分は上記のカウンタのカウント数を参考にして決めればよい。このようにカウント数を生産計画にいかすことで、効率的な生産ができる。弁当などの食品は製造してからの消費期限が短いため、食べられる時刻の予想を誤って製造すると大量廃棄せざるをえなくなるなどのロスが発生するため、何時ごろによく加熱されるのか、即ち食べられるのか、その情報を被加熱物情報サーバ２８で蓄積できる効果は大きい。
【００５１】
もちろん、複数の各商品コードと受信時刻のカウンタは上記の方法以外であっても良い。
【００５２】
また、ネットワーク通信手段で説明したが、ネットワークに限らず通信手段であればよい。
【００５３】
なお、本実施の形態で説明した制御手段や加熱箇所特定手段、被加熱物情報サーバ等は、ＣＰＵ（またはマイコン）、ＲＡＭ、ＲＯＭ、記憶・記録装置、Ｉ／Ｏなどを備えた電気・情報機器、コンピュータ等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００５４】
以上のように、本発明にかかる高周波加熱装置およびそのプログラムは、加熱したい材料と加熱すべきでない材料が一つの容器に入った被加熱物でも、加熱すべき材料がどこの場所にあるのかという情報を加熱箇所特定手段が特定し、加熱すべき材料のある場所に高周波が集中するように分布可変手段を制御することで、煩わしい設定作業なしに加熱すべき箇所だけを加熱することが可能となる。
【００５５】
たとえば、幕の内弁当に応用すると、再加熱して食べることを前提としたような冷蔵して販売する形態でも、刺身やフルーツを入れることができるなど、食品販売の自由度が増す。また冷たい材料と熱い材料を同時に口に入れる食感を楽しむような例えばアイスクリームの天ぷらなどの調理にも応用可能である。もちろん非加熱物は調理物以外でも利用できる。
【図面の簡単な説明】
【００５６】
【図１】本発明の実施の形態１における高周波加熱装置の構成を説明する説明図
【図２】同実施の形態における高周波放射部移動軌跡を説明する説明図
【図３】同実施の形態における非接触ＩＣタグの構成を説明する説明図
【図４】本発明の実施の形態２における高周波加熱装置の構成を説明する説明図
【図５】本発明の実施の形態３における高周波加熱装置の構成を説明する説明図
【図６】本発明の実施の形態４における高周波加熱装置の構成を説明する説明図
【図７】従来例における高周波加熱装置の構成を説明する説明図
【符号の説明】
【００５７】
１  マグネトロン（高周波発生手段）
４  加熱室
７  導波管モータ（分布可変手段）
１４  高周波放射部
１６  非接触ＩＣタグ
１７  非接触ＩＣタグリーダ（被加熱物情報読取手段）
２３  加熱箇所特定手段
２４  制御手段
２５  変換部
２６  ネットワーク通信手段（通信手段）
２７  ネットワーク
２８  被加熱物情報サーバ
３１  記憶手段
３２  カウンタ手段
１００  高周波加熱装置
【図１】
2006153434.tif 000003
【図２】
2006153434.tif 000004
【図３】
2006153434.tif 000005
【図４】
2006153434.tif 000006
【図５】
2006153434.tif 000007
【図６】
2006153434.tif 000008
【図７】
2006153434.tif 000009